(57)【要約】  【課題】ランバーサポート本体部と支持部を一体に作っても表皮材を見栄えよく装着できるための有効な構造を実現する。【解決手段】着座者の腰部を支持するランバーサポート本体部３１が、このランバーサポート本体部３１と一体をなし両側から延び出て背枠１に接続される支持部３２を介して背枠１間に跨った状態でバックアップされるものにおいて、ランバーサポート本体部３１と支持部３２の間に溝３ｘを設け、ランバーサポート本体部３１を覆うように被せた表皮材３５の開口縁３５ｂを溝３ｘに収容するように構成する。  【選択図】図８
2008119409.tif 000002
【特許請求の範囲】
【請求項１】
着座者の荷重を受ける受圧部が、この受圧部と一体をなし少なくとも一部において受圧部の外縁よりもはみ出して外側に突出している支持部を介して椅子本体にバックアップされているものにおいて、
前記受圧部と支持部の間に溝を設け、受圧部を覆うように被せた表皮材の開口縁を前記溝に収容してなることを特徴とする椅子。
【請求項２】
受圧部の全周において支持部がその外縁よりもはみ出して外側に突出し、溝が受圧部の外周に沿ってほぼ全周に設けてある請求項１記載の椅子。
【請求項３】
受圧部のうち、支持部からはみだした領域の背後に、その間に間隙を形成するようにカバーを設け、溝と間隙によって表皮材の開口縁をほぼ全周に亘って収容し得るようにしている請求項１記載の椅子。
【請求項４】
着座者の腰部を支持するランバーサポート本体部が、このランバーサポート本体部と一体をなし少なくとも一部においてランバーサポート本体部の外縁よりもはみ出して外側に突出している支持部を介して背にバックアップされているものにおいて、
前記ランバーサポート本体部と支持部の間に溝を設け、ランバーサポート本体部を覆うように被せた表皮材の開口縁を前記溝に収容してなることを特徴とする椅子。
【請求項５】
支持部が、ランバーサポート本体部から延出して端部を背を構成する左右の背枠に接続し、ランバーサポート本体部を左右の背枠に跨ってバックアップするものである請求項４記載の椅子。
【請求項６】
支持部が、ランバーサポート本体部の背後に回りこみ縦リブを介してランバーサポート本体部に連なっており、受圧によって縦リブを溝底とするランバーサポート本体部と支持部の間の溝が変形しつつ受圧位置が後退するようにしている請求項４記載の椅子。
【請求項７】
ランバーサポート本体部の全周において支持部がその外縁よりもはみ出して外側に突出しており、溝がランバーサポート本体部の外周に沿ってほぼ全周に設けてある請求項６記載の椅子。
【請求項８】
ランバーサポート本体部のうち、支持部からはみだした領域の背後に、その間に間隙を形成するようにカバーを設け、溝と間隙によって表皮材の開口縁をほぼ全周に亘って収容し得るようにしている請求項６記載の椅子。
【請求項９】
カバーと支持部の間に間隙を設け、カバーを覆うように被せた表皮材の開口縁をこの間隙及び前記ランバーサポート本体部との間に形成した間隙に収容し得るようにしている請求項８記載の椅子。
【請求項１０】
溝が、背面視において視認されない状態で設けてある請求項６〜９記載の椅子。
【請求項１１】
支持部の背後にランバーサポート本体部とほぼ同等のパッドを一体に設け、パッドを覆うように被せた表皮材の開口縁を収容する溝をパッドと支持部の間にも併設している請求項７記載の椅子。
【請求項１２】
表皮材が、紐を絞ることにより開口縁の開口を縮小させて溝に入り込ませるものである請求項３〜１１記載の椅子。
【請求項１３】
３〜１０記載のランバーサポート本体部と支持部を一体に設け、支持部の両端に背枠への取付部を形成していることを特徴とするランバーサポート。
【請求項１４】
着座者の背を支持する背支持面が、この背支持面と一体をなし少なくとも一部において背支持面の外縁よりもはみ出して外側に突出している背本体を介して基部にバックアップされているものにおいて、
前記背支持面と背本体の間に溝を設け、背支持面を覆うように被せた表皮材の開口縁を前記溝に収容してなることを特徴とする椅子。
【請求項１５】
着座者の臀部を支持する座支持面が、この座支持面と一体をなし少なくとも一部において座支持面の外縁よりもはみ出して外側に突出している座本体を介して基部にバックアップされているものにおいて、
前記座支持面と座本体の間に溝を設け、座支持面を覆うように被せた表皮材の開口縁を前記溝に収容してなることを特徴とする椅子。
【発明の詳細な説明】
【技術分野】
【０００１】
本発明は、オフィス等で好適に使用されるランバーサポートを備えた椅子に関するものである。
【背景技術】
【０００２】
ランバーサポートは、着座者の腰部を支持して負荷を軽減する上で極めて有効なものである。従来の椅子においては、例えば特許文献１等に示されるように、背後に昇降機構等を配置して、高さ調整可能に取り付けられるのが通例である。
【特許文献１】特開２００６−１１００１４号公報
【発明の開示】
【発明が解決しようとする課題】
【０００３】
ところで、近時のような背枠にメッシュ等の張材を張った椅子では、丁度左右の背枠間に架け渡せばランバーサポート本体を適切な位置に配することができ、背枠を昇降ガイドとして有効利用できる可能性がある。
【０００４】
このような場合、背枠間にベルト等の支持部を架け渡し、その支持部にランバーサポート本体部を、表皮材に包んだ状態で取り付ける構造が上等手段として考えられる。
【０００５】
しかし、これだとランバーサポート本体部と支持部を別体にしなければならないので、コスト増に繋がる。さりとて、支持部からランバーサポート本体部が突出するように成形等により一体に作ることが考えられるが、これだとランバーサポート本体部を表皮材で包むことが困難になる。
【０００６】
本発明は、このような場合に特に好適に適用できて、ランバーサポート本体部と支持部を一体に作っても表皮材を見栄えよく装着できるための有効な構造を実現しようとするものである。
【課題を解決するための手段】
【０００７】
本発明は、かかる目的を達成するために、次のような手段を講じたものである。
【０００８】
すなわち、本発明は、着座者の荷重を受ける受圧部が、この受圧部と一体をなし少なくとも一部において受圧部の外縁よりもはみ出して外側に突出している支持部を介して椅子本体にバックアップされているものにおいて、前記受圧部と支持部の間に溝を設け、受圧部を覆うように被せた表皮材の開口縁を前記溝に収容してなることを特徴とする。
【０００９】
このように構成すると、受圧部と支持部を一体で作っても表皮材を被せることができるので、製造コストの有効な削減を図ることができる。しかも、表皮材の着脱を、受圧部と支持部、或いは支持部と椅子本体とを解離させることなく行い得るので、メンテナンス性等にも優れるものとなる。
【００１０】
受圧部の全周において支持部がその外縁よりもはみ出して外側に突出している場合には、溝を受圧部の外周に沿ってほぼ全周に設けておくことが望ましい。
【００１１】
また、受圧部のうち、支持部からはみだした領域が存する場合には、その背後に、その間に間隙を形成するようにカバーを設け、溝と間隙によって表皮材の開口縁をほぼ全周に亘って収容し得るようにしておくことが好適である。この間隙は、必ずしも溝状である必要はない。
【００１２】
本発明の具体的な態様としては、着座者の腰部を支持するランバーサポート本体部が、このランバーサポート本体部と一体をなし少なくとも一部においてランバーサポート本体部の外縁よりもはみ出して外側に突出している支持部を介して背にバックアップされているものにおいて、前記ランバーサポート本体部と支持部の間に溝を設け、ランバーサポート本体部を覆うように被せた表皮材の開口縁を前記溝に収容してなるものが挙げられる。
【００１３】
特に、支持部が、ランバーサポート本体部から延出して端部を背を構成する左右の背枠に接続し、ランバーサポート本体部を左右の背枠に跨ってバックアップするようにしたものであってランバーサポート本体部からのはみだしが避けられない場合に好適である。
【００１４】
表皮材を収容する溝を有効活用するためには、支持部が、ランバーサポート本体部の背後に回りこみ縦リブを介してランバーサポート本体部に連なっており、受圧によって縦リブを溝底とするランバーサポート本体部と支持部の間の溝が変形しつつ受圧位置が後退するように構成してクッション作用を奏させることが好ましい。
【００１５】
この場合にも、ランバーサポート本体部の全周において支持部がその外縁よりもはみ出して外側に突出している場合には、溝をランバーサポート本体部の外周に沿ってほぼ全周に設ければよく、ランバーサポート本体部のうち、支持部からはみだした領域が存する場合には、その背後に、その間に間隙を形成するようにカバーを設け、溝と間隙によって表皮材の開口縁をほぼ全周に亘って収容し得るように構成すればよい。
【００１６】
カバーの存在を薄くしてランバーサポート全体を一体感のあるものにするためには、カバーと支持部の間に間隙を設け、カバーを覆うように被せた表皮材の開口縁をこの間隙及び前記ランバーサポート本体部との間に形成した間隙に収容し得るようにしておくことが望ましい。
【００１７】
椅子の外観を更に良好ならしめるためには、溝が、背面視において視認されない状態で設けてあることが好ましい。
【００１８】
ランバーサポート全体の意匠を向上させるためにランバーサポート本体部の後部にランバーサポート部とほぼ同等のパッドを設けるにあたり、本発明の更なるコストダウンを図るためには、パッドを覆うように被せた表皮材の開口縁を収容する溝をパッドと支持部の間にも併設していることが望ましい。
【００１９】
表皮材を溝に適切に収容するためには、紐を絞ることにより開口縁の開口を縮小させて溝に入り込ませるように構成しておくことが効果的である。
【００２０】
以上の作用効果は、ランバーサポート本体部と支持部を一体に設け、支持部の両端に背枠への取付部を形成しているランバーサポート単体においても奏することができる。
【００２１】
本発明を、背支持面を覆う表皮材に対しても同様に適用する場合には、着座者の背を支持する背支持面が、この背支持面と一体をなし少なくとも一部において背支持面の外縁よりもはみ出して外側に突出している背本体を介して基部にバックアップされているものにおいて、前記背支持面と背本体の間に溝を設け、背支持面を覆うように被せた表皮材の開口縁を前記溝に収容するように構成すればよい。
【００２２】
また、本発明を、座支持面を覆う表皮材に対しても同様に適用する場合には、着座者の臀部を支持する座支持面が、この座支持面と一体をなし少なくとも一部において座支持面の外縁よりもはみ出して外側に突出している座本体を介して基部にバックアップされているものにおいて、前記座支持面と座本体の間に溝を設け、座支持面を覆うように被せた表皮材の開口縁を前記溝に収容するように構成すればよい。
【発明の効果】
【００２３】
本発明は、以上説明した構成であるから、ランバーサポート本体部などの受圧部と、これを支持する支持部とを一体に作っても、表皮材を見栄えよく受圧部に装着することができるので、これらを別体に作る場合と比べて有効なコストダウンを図ることが可能となる。また、受圧部と支持部、あるいは支持部と椅子本体とを分離させずに表皮材の着脱を行うことができるので、メンテナンスの便等も有効に向上させることが可能となる。
【発明を実施するための最良の形態】
【００２４】
以下、本発明の一実施形態を、図面を参照して説明する。
【００２５】
この実施形態の椅子は、図１及び図２に示すように、背枠１の外周に溝１ａを設けてメッシュ地からなる張材２を取り付けるとともに、背枠１にランバーサポート３を架け渡してなるものである。
【００２６】
背枠１は、樹脂成形によるもので、外縁に図３に示すような２条の溝１ｘ、１ｙを少なくとも図１の上辺部１１及び側辺部１２に亘って連続させており、前方に位置する溝１ｘに張材３の縁部３ａを差し込んで取り付け、後方に位置する溝１ｙを利用してヘッドレストやハンガー等のオプション部材を張材３と干渉することなく取り付け得るようにしている。張材３は背枠１の溝１ｘから出た付近で背枠１の前面に密着して支持され、背枠１の前面はそこから背の中央に近づくほど張材３から離れる方向に緩やかに湾曲する湾曲面１ｚとなっており、張材３に荷重が掛かった際に、張材３が撓んで漸次その湾曲面１ｚへの接触面積を増やすようになっている。
【００２７】
そして、図２及び図４に示すように、着座者の腰部の高さ付近において背枠１の前面に隆起部４を一体に設け、この隆起部４にランバーサポート３の左右両端部３ａを支持させている。
【００２８】
隆起部４は、荷重を受ける方向に突出して背枠１の肉厚を補うブロック体状のもので、前面４ａに上下方向に延びる凹部たる溝４１を設けており、その溝４１の上下位置に穴４２を開口させている。
【００２９】
一方、ランバーサポート３は、図５及び図６に示すように、樹脂成形によりランバーサポート本体部３１の両側に一対の薄板状をなす支持部３２を一体に設けたもので、その支持部３２の端部３ａの後面に設けた突起３ｂを、図４に示す隆起部４の溝４１に前方から上下スライド可能に挿入するようにしている。そして、その上から抜け止め用のカバー５を装着するようにしている。カバー５は板材５１の後面における上下２箇所に凸部５２を有しており、この凸部５２を隆起部４の穴４２に緊密に圧入するようにしており、装着状態で板材５１と隆起部４の前面４ａとの間に、少なくともランバーサポート３の支持部３２の板厚寸法に相当するクリアランスが確保されて支持部３２が円滑に上下動できるようにしている。ランバーサポート３が受圧した際には、支持部３の端部３ａに設けた突起３ｂが溝４１の内壁の適宜部位に荷重とほぼ直交する方向に押し付けられた状態で荷重を支持することとなる。この隆起部４はカバー５も含めて、図３に示した背枠１の湾曲面１ｚと張材３との間に配置される。
【００３０】
ランバーサポート本体部３１は、図５〜図７に示すように、前面に腰部に対応する凹状となるように湾曲するサポート面３１ａを有し、裏面に縦リブ３１ｂを介して支持部３２の基端を連設しているもので、支持部３２の前面に対してサポート面３１ａがやや突出した状態に配される。そして、サポート面３１ａの幅方向縁部近傍から縦リブ３１ｂを経て支持部３２に至る平面視コ字形の部分（図８参照）に、外側方に開口する溝３ｘを形成している。前述した縦リブ３１ｂはランバーサポート本体部３１の幅方向外縁３１ｓよりも中央よりに入り込んだ位置にあり、溝３ｘはそれに対応して中央側に変位している。ランバーサポート本体部３１のサポート面３１ａの中央には後方に向けてボス穴３１ｃが突出しており、縦リブ３１ｂの内方の適宜箇所には、後方に向かって迫り出した後に折り返して先端３１ｄ１を前方に向けた爪３１ｄが設けてある。爪３１ｄの更に内方には若干のクリアランスを経て縦リブ３１ｂとの間に凹部３１ｅを形成する壁３１ｆが配置してある。
【００３１】
支持部３２は、ランバーサポート本体部３１の幅方向外縁３１ｓから側方に、前方に向けて凹となるように湾曲しつつ延出して、先端３ａを前述した背枠１の縦辺１２の前面に対応する部位に位置づけられるもので、この先端に前述した後向の突起３ｂを形成している。この支持部３２は、ランバーサポート本体部３１が受圧した際に、弾性によって変位又は変形することができる。
【００３２】
また、ランバーサポート本体部３１には、後面を蓋封する位置にカバー３３を取り付けるようにしている。このカバー３３は、前記ランバーサポート本体部３１のサポート面３１ａに対向する位置に面板部３３ａを有するもので、この面板部３３ａは後方に向かってゆるやかな凸となるように湾曲している。そして、この面板部３３ａの中央に前記ランバーサポート本体部３１のボス穴３１ｃに対応するボス部３３ｃを設け、幅方向縁部３３ｓの近傍に前記ランバーサポート本体部３１の爪３１ｄに対応する爪３３ｄを設けている。この爪３３ｄの先端３３ｄ１は前記爪３１ｄとは逆に後方を向いている。
【００３３】
そして、図８〜図１０に示すように、カバー３３をランバーサポート本体部３１に対して、そのボス部３３ｃをボス穴３１ｃに挿入し、その爪３３ｄの先端３３ｄ１を凹所３１ｅ内において爪３１ｄ１に係り合わせて装着するようにしている。これらの爪３１ｄ、３３ｄは、係り合うときには容易に弾性変形するが抜脱方向の外力に対しては縦リブ３１ｂ及び壁３１ｆのバックアップもあってより深く係り合う関係にある。図１０において符合３３ｄ２で示すものは、工具を挿入して爪３１ｄを変形させるための窓であり、爪３１ｄ、３３ｄ同士の解除はこれによってなされる。上記と同様の関係の爪３１ｇ，３３ｇが上下の縁部近傍にも設けてある。したがって、受圧により爪３１ｄ、３３ｄ同士あるいは３１ｇ、３３ｇ同士の係り合いの部分がこじれても、意図的に外さない限りランバーサポート本体部３１とカバー３３の解離は難しいものとなっている。
【００３４】
そしてこの状態で、図８に示すように、カバー３３の面板部３３ａの幅方向縁部３３ｓと支持部３２との間に外側方に開口する間隙３ｙが形成されるとともに、図９に示すように、当該面板部３３ａの上下方向の縁部３３ｔとランバーサポート本体部３１の上下方向の縁部３１ｔとの間に間隙３ｚが形成されるようにしてあり、特に支持部３２からはみだした領域すなわちランバーサポート本体部３１とカバー３３とが直接対面する位置に形成される上記の間隙３ｚは、カバー３３と支持部３２との間に形成される溝３ｙに連続するのみならず、支持部３２とランバーサポート本体部３１との間に形成される溝３ｘにも連続するものとなっている。つまり、溝３ｘ、３ｚによってランバーサポート本体部３の外周に沿ってほぼ全域に周回溝が形成され、また溝３ｙ、３ｚによってもカバー３３の外周に沿ってほぼ全域に周回溝が形成されるものとなっている。
【００３５】
そして、図１０に示すように、ランバーサポート本体部３１の前面にクッション材３４を当てがってこれらを表皮材３５で包み、カバー３３の後面にコア材３６を当てがってこれらを表皮材３７で包むようにしている。クッション材３４はランバーサポート本体部３１に適度な弾力を付与すべく設けられるウレタン等の素材よりなるもので、ランバーサポート本体部３１のサポート面３１ａにほぼ対応する形状をなしている。そして、表皮材３５を周囲に紐３５ａを縫製により取り付けたきんちゃく状のものにしておき、内側の開口縁３５ｂ側からクッション材３４及びランバーサポート本体部３１を覆うように被せ、その位置で紐３５ａを絞ることにより、その開口縁３５ｂを紐３５ａとともに図８に示す溝３ｘ及び図９に示す間隙３ｚに収容するようにしている。また、コア材３６はクッション材３４にほぼ対応する形状を付与して意匠上このランバーサポート３が前後方向でほぼ同等の見え掛かりとなることを意図したもので、ウレタン等の素材よりなっている。そして、表皮材３７を周囲に紐３７ａを縫製により取り付けたきんちゃく状のものにしておき、内側の開口縁３７ｂ側からコア材３６及びカバー３３を覆うように被せ、その位置で紐３７ａを絞ることにより、その開口縁３７ｂを紐３７ａとともに図８に示す間隙３ｙ及び図９に示す間隙８ｚに収容するようにしている。
【００３６】
図１１はランバーサポート３の完成状態を示す図である。
【００３７】
そして、特に上記の溝３ｘは、間隙３ｙ、３ｚと共同して表皮材３５の開口縁３５ｂを紐３５ａとともに収容して隠蔽する上で有用となるばかりか、次のようなランバーサポート機能を高める働きをもなすものである。
【００３８】
すなわち、このランバーサポート３は、図８等に示したように支持部３２の基端３２ａがランバーサポート本体部３１の背後に回り込んだ位置より縦リブ３１ｂを介してランバーサポート本体部３１に連なっており、また支持部３２が弾性を有するベルト状をなしていることも相俟って、図１２（ａ）に示すように正面から荷重Ｗ１が作用した際に、同図（ｂ）に示すように縦リブ３１ｂを溝底とするランバーサポート本体部３１と支持部３２の間の溝３ｘが支持部３２とともに変位、変形しつつ受圧位置が後退する。このため、着座時に適度なクッション作用を営んで、柔らかい凭れ心地を与える機能を発揮するものとなる。
【００３９】
また、このように支持部３２の基端３２ａがランバーサポート本体部３の背後に回り込んで縦リブ３１ｂを介してランバーサポート本体部３１に連なっていると、支持部３２が弾性を有するベルト状をなしていることも相俟って、図１３に示すように斜め方向から荷重Ｗ２が作用した際に、荷重方向に応じて左右の縦リブ３１ｂが支持部３２とともに適宜に変位又は変形し、左右の溝３ｘを背反的に拡縮させながら、ランバーサポート本体部３１の首振り動作が引き起こされて、荷重方向に適した姿勢をとるものとなる。
【００４０】
以上のように、本実施形態の椅子は、着座者の腰部を支持するランバーサポート本体部３１が、このランバーサポート本体部３１と一体をなし少なくとも一部においてランバーサポート本体部３１の外縁よりもはみ出して外側に突出している支持部３２を介して背にバックアップされるものである。そして、ランバーサポート本体部３１と支持部３２の間に溝３ｘを設け、ランバーサポート本体部３１を覆うように被せた表皮材３５の開口縁３５ｂを溝３ｘに収容するようにしている。
【００４１】
このように構成すると、ランバーサポート本体部３１と支持部３２を一体で作っても表皮材３５を被せることができるので、これらを別体で作る場合に比して、製造コストの有効な削減を図ることができる。しかも、表皮材３５の着脱を、ランバーサポート本体部３１と支持部３２、或いは支持部３２と背枠１とを解離させることなく行うことができるので、メンテナンス性も有効に向上させることが可能となる。
【００４２】
特に、本実施形態の椅子は、支持部３２が、ランバーサポート本体部３１から延出して端部３ａを背を構成する左右の背枠１に接続し、ランバーサポート本体部３１を左右の背枠１に跨ってバックアップするシンプルな構造であるので、表皮材３５も簡素に取付、脱着が行えることが望ましく、本発明の適用に特に有効な構造となり得る。
【００４３】
そして、支持部３２が、ランバーサポート本体部３１の背後に回りこみ縦リブ３１ｂを介してランバーサポート本体部３１に連なっており、受圧によって縦リブ３１ｂを溝底とするランバーサポート本体部３１と支持部３２の間の溝３ｘが変形しつつ受圧位置が後退することになるので、表皮材３５の開口縁３５ｂを収容する溝３ｘを形成するための縦リブ３１ｂが、受圧時のクッション作用をも営むこととなり、ランバーサポートの機能を有効が向上されることとなる。
【００４４】
具体的に本実施形態においては、ランバーサポート本体部３１に支持部３２からはみだした領域が存するが、背後において、その間に間隙３ｚを形成するようにカバー３３を設け、溝３ｘと間隙３ｚによって表皮材３５の開口縁３５ｂをほぼ全周に亘って収容し得るようにしているので、ランバーサポート本体部３１と支持部３２の間の溝３ｘが途切れる領域を有効に補って、表皮材３５の収容状態を良好ならしめることができる。
【００４５】
また、カバー３３と支持部３２との間にも間隙３ｙを設け、カバー３３を覆うように被せた表皮材３７の開口縁３７ｂをこの間隙３ｙ及び前述した間隙３ｚに周回状態で収容し得るようにしているので、ランバーサポート部３１とカバー３３とを同様の見え掛かりにして、意匠向上に有効に資することができる。
【００４６】
このようにして、溝３ｘや間隙３ｙ、３ｚが、背面視において何れも視認されない状態で設けられることになるので、表皮材３５、３７の開口縁３５ｂ、３７ｂの処理とも相俟って、椅子の外観を更に良好ならしめることができる。
【００４７】
そして、表皮材３５、３７が、紐３５ａ、３７ａを絞ることにより開口縁３５ｂ、３７ｂの開口を縮小させて溝３ｘ、３ｙ、３ｚに入り込ませるものであるので、表皮材３５，３７の開口縁３７ｂ、３７ｂを溝３ｘ、３ｙ、３ｚに押し込む必要がなく、紐３５ａ、３７ａを引張る簡単な作業で確実にそれらの溝３ｘ、３ｙ、３ｚ内に収容することができる。
【００４８】
なお、各部の具体的な構成は、上述した実施形態のみに限定されるものではない。
【００４９】
例えば、ランバーサポート本体部３１の全周において支持部３２がその外縁よりもはみ出して外側に突出している場合には、上記の溝３ｘをランバーサポート本体部３１の外周に沿ってほぼ全周に設けておくことが望ましい。これによると、表皮材３５の開口縁３５ｂのほぼ全部を溝３ｘに収納することができるので、表皮材３５の装着状態における見栄えと装着の安定性を有効に向上させることができる。
【００５０】
また、支持部３２の背後にランバーサポート本体部３１とほぼ同等のパッド１３６を一体に設け、パッド１３６を覆うように被せた表皮材１３７の開口縁を収容する溝１０３ｙをパッド１３６と支持部３２の間に併設することも有効である。
【００５１】
このようにすると、支持部３２の前後にランバーサポート部３１及びパッド１３６を一体に作っても、それらに被せた表皮材３５，１３７を各々対応する溝３ｘ、１０３６に適切に収容することができ、更なるコストダウンも図ることができる。
【００５２】
さらに、図１５に示すように、着座者の背を支持する背支持面２３１が、この背支持面２３１と一体をなし少なくとも一部において背支持面２３１の外縁よりもはみ出して外側に突出している支持部たる背本体２３２を介して座受等の基部にバックアップされているものにおいては、背支持面２３１と背本体２３２の間に溝２０３ｘを設け、背支持面２３１を覆うように被せた表皮材２３５の開口縁を前記溝２０３ｘに収容することが有効となる。このように、本発明は、背支持面２３１を覆う表皮材２３５に対しても同様に適用することができる。
【００５３】
さらにまた、図１６に示すように、着座者の臀部を支持する座支持面３３１が、この座支持面３３１と一体をなし少なくとも一部において座支持面３３１の外縁よりもはみ出して外側に突出している支持部たる座本体３３２を介して基部にバックアップされているものにおいては、座支持面３３１と座本体３３２の間に溝３０３ｘを設け、座支持面３３１を覆うように被せた表皮材３３５の開口縁を前記溝３０３ｘに収容することが有効である。このように、本発明は、座支持面３３１を覆う表皮材３３５に対しても同様に適用することができる。
【００５４】
加えて、図１７に示すように、左右の背枠１のうち、張材２を差し込んでいる溝１ｘの後側に位置する溝１ｙに架け渡されるようにランバーサポート３の支持部３２を取りつけるようにしてもよい。この際、ランバーサポート３の支持部３２はテンションが掛かった状態で架け渡し、その部分の背枠１の溝１ｙと支持部３２は外れにくいように、例えば同図（ｂ）に示すように支持部３２の端部３ａを鉤状の引っ掛かり形状にしておくことが望ましい。このように形成しても、ランバーサポート３は溝１ｙに沿って上下位置調整することができる。この場合、支持部３２の端部３ａに持手を設けておけば、ランバーサポート３を上下位置調整し易いものとなる。さらに、上記持手が、図１８に示すような支持部３２の端部３ａに至るリブ形状の持手３２ｒであれば、着座者がランバーサポート３に体重を掛けたときに、支持部３の爪状の両端部３ａ付近が開いて溝１ｙから外れることを有効に防止することができる。
【００５５】
なお、ランバーサポート３の端部３ａが溝１ｙから外れることを防止するにあたって支持部３２に高いテンションを必要としない場合には、支持部３２のうちランバーサポート本体部３１から出て端部３ａに至る部分に湾曲形状を与えることで、左右の背枠１の間隔が例えば上に向かうほど幅広となるように漸次変化しても、それを吸収してランバーサポート３を上下に有効に昇降させることができる。
【００５６】
以上、本発明を総括すれば、この椅子は、着座者の荷重を受ける受圧部が、この受圧部と一体をなし少なくとも一部において受圧部の外縁よりもはみ出して外側に突出している支持部を介して椅子本体にバックアップされているものに適用可能であって、受圧部と支持部の間に溝を設け、受圧部を覆うように被せた表皮材の開口縁をその溝に収容するように構成するならば、上記実施形態と同様の効果を奏することができる。
【００５７】
この場合も、例えば受圧部の全周において支持部がその外縁よりもはみ出して外側に突出している場合には、溝は受圧部の外周に沿ってほぼ全周に設ければよく、受圧部のうち支持部からはみだした領域があれば、その背後にその間に間隙を形成するようにカバーを設け、溝と間隙によって表皮材の開口縁をほぼ全周に亘って収容するように構成すればよい。
【００５８】
なお、各部の具体的な構成は、上述した実施形態のみに限定されるものではなく、本発明の趣旨を逸脱しない範囲で種々変形が可能である。
【図面の簡単な説明】
【００５９】
【図１】本発明の一実施形態に係る椅子の斜視図。
【図２】同椅子のランバー部分の一部破砕した斜視図。
【図３】同椅子の背枠部分の構造を示す部分平断面図。
【図４】同椅子におけるランバーサポートの背枠への取付構造を示す図。
【図５】同ランバーサポートの主要部を分解状態で示す斜め前方斜視図。
【図６】図５に対応した斜め後方斜視図。
【図７】同平面図。
【図８】同一部破断した平断面図。
【図９】図８におけるＡ−Ａ線断面図。
【図１０】同ランバーサポートの全体構成を示す分解斜視図。
【図１１】同ランバーサポートの組立状態を示す図。
【図１２】同ランバーサポートの作用説明図。
【図１３】同ランバーサポートの作用説明図。
【図１４】本発明の変形例を示す図。
【図１５】本発明の変形例を示す図。
【図１６】本発明の変形例を示す図。
【図１７】本発明の変形例を示す図。
【図１８】本発明の変形例を示す図。
【符号の説明】
【００６０】
１…背枠
３…ランバーサポート
３ｘ…溝
３ｙ、３ｚ…間隙
３１…ランバーサポート本体部
３１ｂ…縦リブ
３２…支持部
３５…表皮材
３５ａ…紐
３５ｂ…開口縁
【図１】
2008119409.tif 000003
【図２】
2008119409.tif 000004
【図３】
2008119409.tif 000005
【図４】
2008119409.tif 000006
【図５】
2008119409.tif 000007
【図６】
2008119409.tif 000008
【図７】
2008119409.tif 000009
【図８】
2008119409.tif 000010
【図９】
2008119409.tif 000011
【図１０】
2008119409.tif 000012
【図１１】
2008119409.tif 000013
【図１２】
2008119409.tif 000014
【図１３】
2008119409.tif 000015
【図１４】
2008119409.tif 000016
【図１５】
2008119409.tif 000017
【図１６】
2008119409.tif 000018
【図１７】
2008119409.tif 000019
【図１８】
2008119409.tif 000020